(57)【特許請求の範囲】
【請求項１】
原稿を読み取る読取装置と、
記録媒体への出力形式を原稿の種類に応じて設定する出力形式設定部と、
前記出力形式設定部が設定した出力形式に応じて、前記読取装置で読み取った原稿の画像を出力する画像出力部と、
記録媒体への出力形式ごとに、その出力形式での出力を計数するか否かを設定する計数設定部と、
前記計数設定部で計数をすると設定された出力形式での出力の数を出力形式ごとに計数する計数部と、を有し、
前記読取装置は、帳票に記載された出力形式の計数対象の可否を読み取り、前記計数設定部は、前記読取装置が読み取った出力形式の計数対象の可否により記録媒体への出力形式ごとに、その出力形式での出力を計数するか否かを設定する
画像形成装置。
【請求項２】
前記計数部は、任意のタイミングで初期化可能である請求項１記載の画像形成装置。
【請求項３】
前記読取装置は、帳票に記載された出力形式の選択を読み取り、前記出力形式設定部は、前記読取装置により読み取ったデータから記録媒体への出力形式を設定する請求項１又は２記載の画像形成装置。
【請求項４】
前記読取装置で読み取られた帳票のひな形を設定する帳票設定部と、
前記帳票設定部で設定された帳票のひな形を記憶する帳票記憶部と、
をさらに有する請求項３記載の画像形成装置。
【請求項５】
前記計数部による計数の結果を表示する表示手段をさらに有する請求項１乃至４いずれか記載の画像形成装置。
【請求項６】
前記計数部による計数の結果を印字する印字手段をさらに有する請求項１乃至５いずれか記載の画像形成装置。
【請求項７】
前記出力形式設定部は、出力される複数の記録媒体の大きさがそれぞれに同じとなるように出力形式を設定可能である請求項１乃至６いずれか記載の画像形成装置。
【請求項８】
画像が出力された記録媒体を折り畳む折畳部をさらに有し、
前記出力形式設定部は、出力される複数の記録媒体の前記折畳部による折り畳みの後における大きさがそれぞれに同じとなるように前記折畳部を制御する
請求項１乃至７いずれか記載の画像形成装置。
【発明の詳細な説明】
【技術分野】
【０００１】
本発明は画像形成装置に関する。
【背景技術】
【０００２】
特許文献１には、被画像形成媒体に画像を形成するための複数の動作モードを有する画像形成手段と、前記画像形成手段の各動作モードに対して、画像形成したページを部門ごとに設定されている部門カウンタで計数するか、前記部門カウンタとは異なる部門未定義カウンタで計数するかを設定する設定手段と、前記設定手段により前記部門カウンタで計数すると設定されている動作モードで画像形成したページを当該画像形成処理を要求した部門に対応する部門カウンタで計数する第１の計数手段と、前記設定手段により前記部門未定義カウンタで計数すると設定されている動作モードで画像形成したページを前記部門未定義カウンタで計数する第２の計数手段と、を有することを特徴とする画像形成装置が記載されている。
【０００３】
特許文献２には、プリント対象となる印刷データに共通プリントの指定が含まれるか否かを判定するデータ判定手段と、前記共通プリントの指定が含まれる印刷データに対して管理者による設定操作に基づいてプリント許可情報を付与する共通プリント管理手段と、印刷データに基づいてプリント出力を行うプリント手段と、前記プリント手段によりプリント出力が行われる印刷データに、前記共通プリントの指定が含まれており、且つ、前記プリント許可情報が付与されていない場合、前記プリント手段によるプリント出力に伴って印刷枚数をカウントし、その印刷枚数を、プリント指示を行ったユーザ個人のユーザカウント値に加算する印刷枚数管理手段と、を備え、前記印刷枚数管理手段は、前記プリント手段によってプリント出力が行われた後に、前記共通プリントの指定が含まれる印刷データに対して管理者による前記プリント許可情報が付与された場合、当該印刷データに基づく印刷枚数を、複数ユーザで共通してカウントする共通カウント値に加算し、前記ユーザカウント値に加算された印刷枚数を減算することを特徴とする画像形成装置が記載されている。
【先行技術文献】
【特許文献】
【０００４】
【特許文献１】特開２００７−８０１９号公報
【特許文献２】特開２０１１−１２６０７７号公報
【発明の概要】
【発明が解決しようとする課題】
【０００５】
原稿の色、原稿の大きさ等の種類の異なる複数の原稿を読取装置で読み取り、読み取った原稿を、大きさ、記録媒体の種類、画像として出力する色等の異なる出力形式で出力したり、原稿の種類にかかわらず一定の出力形式で出力したりする場合には、原稿を読み取る順序で、例えば拡大・縮小、出力する色、記録媒体の種類等の出力形式を設定することを要する。また、上述のように原稿を読み取って、読み取った原稿を出力する場合に、出力形式ごとに出力された数を確認するには、作業者が目視で出力された記録媒体を数えることを要する。
【０００６】
しかしながら、原稿を読み取って、上述のように画像を出力する場合、出力形式の設定が煩雑であり、出力形式の設定に時間を要し、さらには、出力をされた数の確認が煩雑であり、出力された数の確認に時間を要する。尚、上述のように原稿を読み取って、上述のように画像を出力する場合としては、例えば原稿を綴じるファイル中に混在する複数の種類の原稿を、ファイルに綴じられた順番を保ちつつ、原稿の大きさにかかわらず同じ大きさの記録媒体に出力をする場合等を一例として挙げることができる。
【０００７】
本発明は、異なる種類が混在する複数の原稿を読み取って、読み取った原稿の画像を記録媒体に出力する場合における出力形式の設定の煩雑さと、出力形式ごとに出力された数を確認する煩雑さとを低減することができる画像形成装置を提供することを目的とする。
【課題を解決するための手段】
【０００８】
請求項１に係る本発明は、原稿を読み取る読取装置と、記録媒体への出力形式を原稿の種類に応じて設定する出力形式設定部と、前記出力形式設定部が設定した出力形式に応じて、前記読取装置で読み取った原稿の画像を出力する画像出力部と、記録媒体への出力形式ごとに、その出力形式での出力を計数するか否かを設定する計数設定部と、前記計数設定部で計数をすると設定された出力形式での出力の数を出力形式ごとに計数する計数部と、を有する画像形成装置である。
【０００９】
請求項２に係る本発明は、前記計数部は、任意のタイミングで初期化可能である請求項１記載の画像形成装置である。
【００１０】
請求項３に係る本発明は、前記出力形式設定部は、帳票に記載された出力形式を読み取り出力形式を設定する請求項１又は２記載の画像形成装置である。
【００１１】
請求項４に係る本発明は、前記読取装置で読み取られた帳票のひな形を設定する帳票設定部と、前記帳票設定部で設定された帳票のひな形を記憶する帳票記憶部と、
をさらに有する請求項３記載の画像形成装置である。
【００１２】
請求項５に係る本発明は、前記計数部による計数の結果を表示する表示手段をさらに有する請求項１乃至４いずれか記載の画像形成装置である。
【００１３】
請求項６に係る本発明は、前記計数手段による計数の結果を印字する印字手段をさらに有する請求項１乃至５いずれか記載の画像形成装置である。
【００１４】
請求項７に係る本発明は、前記出力形式設定部は、出力される複数の記録媒体の大きさがそれぞれに同じとなるように出力形式を設定可能である請求項１乃至６いずれか記載の画像形成装置である。
【００１５】
請求項８に係る本発明は、画像が出力された記録媒体を折り畳む折畳部をさらに有し、前記出力形式設定部は、出力される複数の記録媒体の前記折畳部による折り畳みの後における大きさがそれぞれに同じとなるように前記折畳部を制御する請求項１乃至７いずれか記載の画像形成装置である。
【発明の効果】
【００１６】
請求項１に係る本発明によれば、異なる種類が混在する複数の原稿を読み取って、読み取った原稿を記録媒体に出力する場合における出力形式の設定の煩雑さと、出力形式ごとに出力された数を確認する煩雑さとを低減することができる画像形成装置を提供することができる。
【００１７】
請求項２に係る本発明によれば、操作者が所望する任意のタイミングで、出力形式ごとの出力の数を数えることができる。
【００１８】
請求項３に係る本発明によれば、例えば操作パネル等を用いて出力形式を設定する場合
と比較して、出力形式の設定の煩雑さを低減することができる。
【００１９】
請求項４に係る本発明によれば、他の装置で帳票のひな形を設定することを要する装置と比較して、帳票のひな形を簡単に設定することができる。
【００２０】
請求項５に係る本発明によれば、計数の結果を印字する場合と比較して、計数の結果を早く知ることができる。
【００２１】
請求項６に係る本発明によれば、計数の結果を書類として残すことができる。
【００２２】
請求項７に係る本発明によれば、複数の異なる大きさの記録媒体に画像を出力する場合と比較して、画像が出力された記録媒体を保存しやすくすることができる。
【００２３】
請求項８に係る本発明によれば、出力ごとに最適な大きさの記録媒体を用いつつ、折畳後の記録媒体の大きさを同じとすることができ、出力された記録媒体を保存しやすくすることができる。
【図面の簡単な説明】
【００２４】
【図１】本発明の実施形態に係る画像形成装置を示す断面図である。
【図２】図１に示す画像形成装置が有する制御部を示すブロック図である。
【図３】図２に示す制御部が有する機能を示すブロック図である。
【図４】出力形式の設定と、その出力形式で出力された出力の数を数えるか否かの設定とに用いられる帳票の一例を示す図である。本発明の実施形態で用いられる帳票の第１の例であって、記入のものを示す図である。
【図５】図４に示す帳票の操作者による記入がなされた状態を示す図である。
【図６】計数部によってカウントされた出力の数が表示部に表示された状態を示す図である。
【図７】図１に示す画像形成装置の動作を説明する第１のフローチャートである。
【図８】出力形式の設定に用いられる帳票の一例を示す図である。
【図９】図１に示す画像形成装置の動作を説明する第２のフローチャートである。
【図１０】図１に示す画像形成装置の動作を説明する第３のフローチャートである。
【発明を実施するための形態】
【００２５】
次に、本発明を実施するための形態を図面を参照して説明する。図１は、本発明の実施形態に係る画像形成装置の一例である画像形成装置１０を示す断面図である。
【００２６】
図１に示すように、画像形成装置１０は、読取装置１００を有する。読取装置１００は、所謂スキャナであり、自動搬送装置１０２を有し、自動搬送装置１０２で原稿台１０４に送られた原稿等を例えばＣＣＤ等からなる読取素子１０６で読み取る。読取装置１００は原稿の読取に用いられるのみならず、後述する帳票８００（図４を参照）、帳票９００（図８を参照）の読み取りにも用いられる。
【００２７】
画像形成装置１０は、画像出力部２００をさらに有し、画像出力部２００は、トナー像形成部２１０を有する。トナー像形成部２１０は、トナー像を形成するものであって、例えばイエロー色トナー、マゼンタ色トナー、シアン色トナー、黒トナーを用いて多色の画像を形成することができ、例えば黒トナーを用いて黒単色のトナーを形成することができる。出力されたトナー像は記録媒体として用いられている用紙に転写され、定着装置２１２によって用紙に定着される。
【００２８】
画像出力部２００は、給紙部２２０をさらに有する。給紙部２２０は、トナー像形成部２１０に用紙を供給する装置であって、例えば３個等の複数の収納容器２２２を有する。複数の収納容器２２２には、種類や大きさが互いに異なる複数の種類の用紙の中から選択された１種類の用紙が収納されている。このため、複数の収納容器２２２の中の１つを選択することで、複数種類の用紙からトナー像形成部２１０へ供給される一種類の用紙を選択することができる。
【００２９】
画像出力部２００は、反転搬送装置２３０をさらに有する。反転搬送装置２３０は、一方の面に画像が形成された用紙の他方の面にも画像を形成する際に、用紙を反転するように搬送する。反転搬送装置２３０を用いるか否かを選択することで、用紙の片面だけに画像を出力するのか、用紙の両面にそれぞれに画像を出力するかとの出力形式を選択することができる。
【００３０】
画像出力部２００は、後述する出力形式設定部４３０（図３を参照）で設定された出力形式に応じて、読取装置１００で読み取った原稿の画像を出力する。
【００３１】
画像出力部２００は、読取装置１００で読み取った画像等の出力に用いられるのみならず、後述する計数部４５０（図３を参照）によって計数された出力の種類ごとの出力の数を印字するためにも用いられる。すなわち、画像出力部は、計数部４５０による計数の結果を印字する印字手段として用いられている。
【００３２】
画像形成装置１０は、合紙供給装置３１０をさらに有する。合紙供給装置３１０は、画像出力部２００側から搬送されてきた複数の用紙の間に、例えば厚紙や、画像出力部２００から搬送されて来た用紙とは異なる色の用紙等の合紙を挿入する。
【００３３】
画像形成装置１０は、折畳装置３２０をさらに有する。折畳装置３２０は、合紙供給装置３１０側から供給されてきた用紙に対して２つ折り、Ｃ折り（内三折り）、Ｚ折り（外三折り）等の折り処理を施すことができる。
【００３４】
画像形成装置１０は、表示装置３３０をさらに有する。表示装置３３０としては、例えば液晶表示パネルを用いることができる。表示装置３３０には、例えば、後述する計数部４５０（図３を参照）によって計数された出力の種類ごとの出力の数等が表示される。
【００３５】
画像形成装置１０は、操作装置３４０をさらに有する。操作装置３４０としては、例えばキーボードを用いることができる。キーボードに替えて、例えばタッチパネル等を用いて、表示装置３３０と操作装置３４０とを一体化してもよい。操作装置３４０は、画像形成装置１０を操作するための入力に用いられる。
【００３６】
画像形成装置１０は制御部４００をさらに有する。制御部４００は、例えばＣＰＵ等を備えた制御回路（不図示）を有し、制御部４００には、例えばハードディスク・ドライブ等の記憶装置４２０が取り付けられている。
【００３７】
図２は、制御部４００を示すブロック図である。制御部４００には、通信インターフェイス４１０を介して外部からの画像データや読取装置１００で読み取られた画像データが入力される。また、制御部４００には、操作装置３４０からの入力がなされ、制御部４００からの出力に基づいて、少なくとも読取装置１００、画像出力部２００、合紙供給装置３１０、折畳装置３２０、表示装置３３０が制御される。また、制御部４００は、記憶装置４２０にデータを書き込み、記憶装置４２０からデータを読み取る。
【００３８】
図３は、制御部４００が有する機能の一例を示すブロック図である。図３に示すように、制御部４００は、出力形式設定部４３０として機能し、計数設定部４４０として機能し、計数部４５０として機能し、帳票設定部４６０として機能する。
【００３９】
出力形式設定部４３０は、画像出力部２００による用紙への出力形式を、読取装置１００で読み取られた原稿の種類に応じて設定する。ここで、原稿の種類としては、例えば、黒単色であるのか多色であるのか等の原稿の色、Ａ３サイズ、Ａ４サイズ等の原稿の大きさ等を例示することができる。
【００４０】
出力形式の一例としては、原稿の色が多色である場合は多色で画像を出力し、原稿の色が黒単色である場合は黒単色で画像を出力する自動モードで出力するのか、原稿の色にかかわらず多色で画像を出力する多色モード（カラーモード）で出力するのか、原稿の色にかかわらず黒単色で出力する単色モード（白黒モード）で出力するかの出力の色を挙げることができる。また、出力形式の他の例としては、原稿の大きさにかかわらず、一定の大きさの画像となるように倍率を自動で設定する自動モードで出力するのか、原稿の大きさのままで出力をする等倍モードで出力するのか等の出力の倍率を挙げることができる。ここで、等倍モードを選択した場合、読み取られた原稿と同じ大きさの用紙に対して出力がなされることになる。
【００４１】
自動モードについて具定例を示すと、出力の倍率として自動モードが選択された場合であって、例えば、Ａ４の原稿とＡ３の原稿とが混在する複数の原稿を読み取り、読み取った画像を出力する場合には、画像が出力される用紙の大きさが全てＡ４サイズとなるようにＡ４の原稿から読み取った画像は等倍でＡ４の用紙に対して出力され、Ａ３の原稿から読み取った画像は縮小されてＡ４の用紙に対して出力される。
【００４２】
出力形式のさらに他の例としては、文字と写真とが混在した画像の出力に適した文字・写真モードで出力するのか、文字の画像の出力に適した文字モードで出力するのか、写真の画像の出力に適した写真モードで出力するのか等の画質を挙げることができる。また、出力の形式のさらに他の例としては、普通紙に対して出力をするのか、厚紙に対して出力するのか等の出力する用紙を挙げることができる。
【００４３】
また、出力形式のさらに他の例としては、画像が出力された用紙を折り畳まないのか、画像が出力された用紙を２つ折りにするのか、画像が出力された用紙をＣ折りにするのか、画像が出力された用紙をＺ折りにする等の用紙の折り畳み方を挙げることができる。
【００４４】
上述の原稿の種類と上述の出力形式とを組み合わせた設定の例としては、原稿の色、原稿のサイズにかかわらず、出力の色を自動モードとし、出力の倍率を等倍モードとし、出力の画質を文字モードとし、出力する用紙を普通紙とするとの設定を一例として挙げることができる。
【００４５】
出力形式設定部４３０は、操作者が操作装置３４０を操作することにより設定が可能である。ここで、原稿の種類が一種類である場合は、操作者は、一種類の原稿に対する設定だけを入力すればよい。しかしながら、複数の種類の異なる原稿が混在した原稿を読取装置１００で読み取って出力をする場合には、操作者は、原稿を読み取る順序で、全ての原稿について出力形式の設定をすることを要し、この操作は煩雑であり時間を要する。
【００４６】
出力形式設定部４３０は、原稿の種類ごとの設定を予め操作者が記入した帳票８００（図４を参照）を読取装置１００に読み取らせることにより設定が可能である。帳票８００に基づいて出力形式を設定すれば、操作装置３４０を操作して出力形式の設定をする場合と比較して、操作の煩雑さが低減することができ、操作に要する時間を短縮することができる。尚、帳票８００の詳細は後述する。
【００４７】
出力形式設定部４３０は、画像が出力された複数の用紙の折畳装置３２０によって折り畳まれた後における大きさが同じとなるように折畳装置３２０を制御することができる。例えば、Ａ４の原稿とＡ３の原稿とが混在する複数の原稿を読み取り、読み取った画像を出力する場合に、折り畳まれた後の用紙の大きさが全て同じとなるように、Ａ４の原稿から読み取った画像はＡ４の用紙に出力し、用紙の折り畳みはせず、Ａ３の原稿から読み取った画像は、等倍でＡ３の用紙に対して出力をした上で、折畳装置３２０を制御し、折り畳んだ後における大きさがＡ４となるように折畳装置３２０にＺ折りをさせることができる。
【００４８】
計数設定部４４０は、用紙への出力形式ごとに、その出力形式で出力された用紙の数を数えるか否かを設定する。例えば、計数設定部４４０は、出力する用紙の大きさがA３であって多色モードで出力がされた用紙の数と、用紙の大きさがＡ３であって白黒モードで出力された用紙の数と、出力する用紙の大きさがＡ４であって多色で出力された用紙の数とはそれぞれに数えるものの、用紙の大きさがＡ４であって、単色で出力された用紙の数はカウントしない等の設定をする。
【００４９】
計数設定部４４０は、操作者が操作装置３４０を操作することにより設定が可能である。この際、出力形式の数が多い場合には、操作者は、出力形式の全てについて、それぞれの出力形式での出力の数を計数するのか否かを設定するための入力の操作をすることを要し、この操作は煩雑であり時間を要する。
【００５０】
計数設定部４４０の設定は、出力の形式ごとに出力の数を数えるのか否かを予め操作者が記入した帳票８００（図４を参照）を読取装置１００に読み取らせることにより設定が可能である。帳票８００を読み取らせることで設定すれば、操作装置３４０を操作して設定をする場合と比較して、操作の煩雑さが低減することができ、操作に要する時間を短縮することができる。
【００５１】
計数部４５０は、計数設定部４４０で計数をすると設定された出力形式での出力の数を計数する。例えば、計数設定部４４０で、用紙の大きさがA３であって多色で出力がされた出力の数と、用紙の大きさがＡ３であって単色で出力された出力の数とをカウントするとの設定がなされた場合、計数部４５０は、計数設定部４４０で、サイズがＡ３であって多色で出力がされた出力の数と、サイズがＡ３であって単色で出力された出力の数とを、出力形式ごとに数える。
【００５２】
計数部４５０は、例えば操作装置３４０の操作することで、任意のタイミングで初期化することができ、初期化した後になされる最初の出力を第１枚目として出力のカウントを再開することができる。このため、例えば操作者が変わる際に計数部４５０を初期化することができるし、例えば、同じ操作者が操作を続ける場合であっても、出力の依頼先や出力の課金先、請求先がそれまでの出力とは異なる出力を開始する際等に計数部４５０を初期化することもできる。
【００５３】
計数部４５０で数えた出力の数は表示装置３３０に表示される。表示装置３３０に表示することに替えて、又は表示装置３３０に表示することと併せて、計数部４５０で数えた出力の数を画像出力部２００に印字させるようにしてもよい。
【００５４】
帳票設定部４６０は、読取装置１００で読み取られた帳票８００のひな形を設定する。すなわち、帳票設定部４６０は、出力形式の設定や、出力の数を数えるか否かの設定のために過去に用いられたことのない帳票を新たに帳票として使用する場合に、帳票としての使用に先立ち、その帳票をひな形として記憶装置４２０に記憶させる。
【００５５】
図４には、出力形式の設定と、その出力形式で出力された出力の数を数えるか否かの出力形式ごとの設定に用いられる帳票の一例である帳票８００の未使用のものが示されている。帳票８００は、出力形式の設定をするための、例えば１つの出力形式設定領域８１０と、出力の数を数えるか否かを設定するための計数設定領域８３０とを有する。
【００５６】
出力形式設定領域８１０は、出力する画像の色を設定するための色設定行８１２と、出力における倍率を設定するための倍率設定行８１４と、出力する画像の画質を設定するための画質設定行８１６と、出力をする用紙を設定するための用紙設定行８１８とを有する。出力形式設定領域８１０を用いて出力形式を設定するには、色設定行８１２、倍率設定行８１４、画質設定行８１６、用紙設定行８１８の各行において、望む出力形式の名称の記載の前に配置された白抜きの四角形を、任意の筆記用具で黒く塗りつぶした後に、帳票８００を読取装置１００に読み取らせればよい。
【００５７】
尚、図４に示す例では、帳票８００は、出力形式設定領域８１０を１つ有するものの、帳票８００が複数の出力形式設定領域８１０を有するようにしてもよい。例えば、帳票８００が３個の出力形式設定領域８１０を有するようにして、これら３個の出力形式設定領域８１０を、例えば、大きさがＡ３である原稿に対する出力形式の設定と、大きさがＡ４である原稿に対する出力形式の設定と、大きさがＢ４である原稿に対する出力形式の設定とにそれぞれに用いるようにしてもよい。
【００５８】
計数設定領域８３０は、数を数える出力の色を設定するための色設定行８３２と、数を数える出力の用紙の大きさを設定するための用紙サイズ設定行８３４と、数を数える出力の紙質を設定するための紙質設定行８３６と、数を数える出力の画像の画質を設定するための画質設定行８３８とを有する。計数設定領域８３０を用いて数を数える出力の形式を設定するには、色設定行８３２、用紙サイズ設定行８３４、紙質設定行８３６、画質設定行８３８の各行において、数を数える出力形式の名称の記載の前に配置された白抜きの四角形を、任意の筆記用具で黒く塗りつぶした後に、帳票８００を読取装置１００に読み取らせればよい。
【００５９】
図５には、操作者によって記入がなされ、読取装置１００によって読み取られる直前の帳票８００が示されている。図５に例として示す帳票８００においては、出力形式を、色の設定を「自動モード」に、倍率の設定を「等倍モード」に、画質を「文字モード」に、出力する用紙を「普通紙」と設定するように記載（白抜きの四角形の塗りつぶし）がなされている。また、図５に示す帳票８００においては、出力の枚数を数える出力形式を、「カラー（多色）」で出力された画像であって、「すべて」の用紙サイズであって、「すべて」の紙質であって、「すべて」の画質であると設定をするように記載（白抜きの四角形の塗りつぶし）がなされている。
【００６０】
図６には、計数部４５０によりカウントされた出力の数が、表示装置３３０に表示された例が示されている。図６に示すように、表示装置３３０には、カラーか白黒かとの出力の色、Ａ３かＡ４かとの用紙のサイズ、普通紙が厚紙かとの用紙の種類、文字モードか写真モードかとの画質との出力形式ごとに数えられた出力の数が表示されている。また、表示装置３３０には、すべての出力形式で出力された数の合計値が示されている。尚、図６に示す出力数を数えた結果は、図５示した帳票への記載に基づいて設定された出力の数を数えたものではなく、図５と図６とは直接には対応していない。
【００６１】
図６に示すように出力の数を数えた結果を表示装置３３０に表示することに替えて、出力の数を数えた結果を画像出力部２００で用紙に対して印字するようにしてもよい。また、数を数えた結果を、表示装置３３０に表示するとともに、画像出力部２００で用紙に対して印字するようにしてもよい。
【００６２】
図７は、画像形成装置１０が、出力の形式ごとに出力の数を数える動作の一例を示すフローチャートである。図７に示すように、一連の動作を開始すると、ステップＳ１０において、制御部４００は読取装置１００に帳票８００を読み込ませる。
【００６３】
次のステップであるステップＳ１２では、計数設定がなされる。すなわち、読取装置１００で読み取られた帳票８００の記載に基づいて、計数設定部４４０が、その出力形式で出力された出力の数を数えるかの設定をする。図７に示す例においては、３つの出力形式で出力された出力の数を数えるものとし、それぞれの出力形式を、出力形式１、出力形式２、出力形式３とする。
【００６４】
次のステップであるステップＳ３０では、計数部４５０が初期化される。
【００６５】
次のステップであるステップＳ４０において、通信インターフェイス４１０を介してのデータの入力を確認した後、次のステップＳ５０において、読取装置１００で読み取られた帳票８００の記載に基づき出力形式設定部４３０が設定した出力形式で、制御部４００が画像出力部２００に出力をさせる。
【００６６】
次のステップＳ６０では、ステップＳ５０での出力が出力形式１での出力か否かの判別がなされ、出力形式１での出力であるとの判別がなされると、ステップＳ７０において、出力形式１に合致する出力の数として計数部４５０に加算される。
【００６７】
ステップＳ６０で、ステップＳ５０での出力が出力形式１での出力ではないとの判別がなされた場合、ステップＳ８０に進む。
【００６８】
ステップＳ８０では、ステップＳ５０での出力が出力形式２での出力か否かの判別がなされ、出力形式２での出力であるとの判別がなされると、ステップＳ９０において、出力形式２に合致する出力の数として計数部４５０に加算される。
【００６９】
ステップＳ８０で、ステップＳ５０での出力が出力形式１での出力ではないとの判別がなされた場合、ステップＳ１１０に進む。
【００７０】
ステップＳ１１０では、ステップＳ５０での出力が出力形式３での出力か否かの判別がなされ、出力形式３での出力であるとの判別がなされると、ステップＳ１２０において、出力形式３に合致する出力の数として計数部４５０に加算される。
【００７１】
続いてのステップＳ１３０で、ステップＳ５０での出力が、ステップＳ４０において受け付けた画像データ中の最後のデータであることを確認すると、ステップＳ１４０において、制御部４００は、ステップＳ７０で数えた出力形式１による出力の数と、ステップＳ９０で数えた出力形式２による出力の数と、ステップＳ１１０で数えた出力形式３による出力の数とを表示装置３３０表示させる。この際、表示装置３３０への表示に替えて、又は表示装置３３０への表示と併せて数えた数を画像出力部２００に印字させてもよい。
【００７２】
図８には、出力形式の設定に用いられる帳票の一例である帳票９００が示されている。帳票９００は、專ら出力形式の設定に用いられるものであり、その出力形式で出力された出力の数を数えるか否かの設定には用いられない。このため、帳票９００を用いる場合であって、その出力形式で出力された出力の数を数えるか否かの設定を要する場合は、その出力形式で出力された出力の数を数えるか否かの設定は操作者が操作装置３４０を操作すること等によりなされる。
【００７３】
図８に示すように、帳票９００は、互いに異なる大きさの複数種類の原稿が読取装置１００で読み取られた場合の仕上がりサイズ（用紙の大きさ）を設定する仕上がりサイズ設定部９１０を有する。仕上がりサイズ設定部９１０では、互いに異なるサイズの原稿の中の最大サイズの原稿に出力する用紙の大きさを合わせるのか（図８における「最大サイズに合わせる」）、互いに異なるサイズの原稿の中の最小のサイズの原稿に出力する用紙の大きさを合わせるのか（図８における「最小サイズに合わせる」）、原稿のサイズのかかわらず、任意の大きさの用紙に出力するのか（図８における「任意のサイズにする」）を設定することができる。これらの３個の設定は、いずれもが、互いに異なる大きさの原稿が混在していても、画像を出力する用紙を一つの大きさに統一する設定である。
【００７４】
帳票９００は、折畳設定部９２０を有する。折畳設定部９２０は、互いに異なる大きさの複数種類の原稿が読取装置１００で読み取られた場合に、それぞれの画像を原稿と同じ大きさの用紙に出力し、その用紙を折畳装置３２０で折り畳んで、折り畳んだ後の大きさを同じする場合における用紙の折畳方の設定に用いられる。折畳設定部９２０では、「２つ折り」か「Ｚ折り」かを選択することができるようになっている。
【００７５】
図９は、帳票９００を用いた場合の画像形成装置１０の動作の一例を示すフローチャートである。図９に示すように、一連の動作を開始すると、ステップＳ２１０において、制御部４００は読取装置１００に帳票９００を読み込ませる。
【００７６】
次のステップＳ２２０では、制御部４００は読取装置１００に原稿を読み取らせる。この際、読み取られせる原稿は、互いに異なる複数の大きさが混在しているものであるとする。
【００７７】
次のステップＳ２３０では、ステップＳ２１０で読み込んだ設定に基づいて、画像が仕上がりサイズと異なるのか、画像仕上がりサイズと異ならない（画像が仕上がりサイズである）かの判別をする。例えば、帳票９００の仕上がりサイズ設定部９１０で「任意のサイズ」にすると設定され、任意のサイズが「Ａ４」である場合に、画像の大きさがＡ４以外のサイズであるのか、Ａ４であるかの判別がなされる。
【００７８】
ステップＳ２３０で、画像が仕上がりサイズと異なるとの判別がなされた場合はステップＳ２４０に進み、ステップＳ２５０で画像が仕上がりサイズであるとの判別がなされた場合はステップＳ２５０に進む。
【００７９】
ステップＳ２４０では、ステップＳ２１０で読み込まれた帳票９００の記載に基づいて、制御部４００が画像出力部２００に出力をさせるか、制御部４００が画像出力部２００に出力をさせ、さらには折畳装置３２０に用紙を折り畳ませる。例えば、帳票９００の仕上がりサイズ設定部９１０で「任意のサイズ」にすると設定され、任意のサイズが「Ａ４」である場合であって、画像の大きさがＡ３である場合、制御部４００は、画像出力部２００にＡ４の用紙にＡ４に縮小した画像を出力させる。
【００８０】
また、例えば、折畳後の用紙の大きさがＡ４とされ、帳票９００の折畳設定部９２０で「Ｚ折り」と設定させている場合であって、画像の大きさがＡ３である場合、制御部４００は、画像出力部２００にＡ３の用紙に等倍で画像を出力させ、折畳装置３２０にＡ３の用紙を折畳後にＡ４となるようにＺ折りさせる。
【００８１】
ステップＳ２５０では、制御部４００は、画像出力部２００に等倍で画像を出力させる。
【００８２】
続いてのステップＳ２６０で、ステップＳ２４０又はステップＳ２５０での出力が、ステップＳ２２０で読み込んだ画像データ中の最後のデータであることを確認すると、制御部４００は一連の動作を終了させる。
【００８３】
図１０には、帳票設定部４６０が、帳票のひな型を設定する動作が示されている。新たな帳票のひな型を設定し、新たな帳票を登録する際には、最初のステップであるステップＳ３１０で、制御部４００は、読取装置１００に新規で登録する帳票の画像を読み込ませる。
【００８４】
次のステップＳ３２０では、帳票設定部４６０は、ステップＳ３１０で読み込まれた帳票の画像を表示装置３３０に表示させ、操作者の操作に基づいて、出力形式設定の各項目の帳票上における位置と出力形式設定の各項目の属性名との入力を受け付ける。
【００８５】
ステップＳ３３０で出力形式設定の各項目の全てが入力されたことを確認した後、ステップＳ３４０に進む。
【００８６】
次のステップＳ３４０では、帳票設定部４６０は、操作者の操作に基づいて、計数設定の各項目の帳票上における位置と計数設定の各項目の属性名との入力を受け付ける。
【００８７】
ステップＳ３５０で計数設定の各項目の全てが入力されたことを確認した後、ステップＳ３５０に進む。
【００８８】
ステップＳ３６０では、帳票設定部４６０は、ステップＳ３２０での入力とステップＳ３４０での入力とに基づいて帳票のひな型を設定し、設定した帳票のひな型を記憶装置４２０に記憶させる。
【産業上の利用可能性】
【００８９】
以上で説明をしたように、本発明は画像形成装置に適用することができる。
【符号の説明】
【００９０】
１０・・・画像形成装置
１００・・・読取装置
２００・・・画像出力部
３２０・・・折畳装置
３３０・・・表示装置
３４０・・・操作装置
４００・・・制御部
４２０・・・記憶装置
４３０・・・出力形式設定部
４４０・・・計数設定部
４５０・・・計数部
４６０・・・帳票設定部
８００・・・帳票
９００・・・帳票
【図１】
0006753108.tif 000002
【図２】
0006753108.tif 000003
【図３】
0006753108.tif 000004
【図４】
0006753108.tif 000005
【図５】
0006753108.tif 000006
【図６】
0006753108.tif 000007
【図７】
0006753108.tif 000008
【図８】
0006753108.tif 000009
【図９】
0006753108.tif 000010
【図１０】
0006753108.tif 000011